(57)【要約】  【課題】  主純正車載機器を、非純正車載機器によって置き換えた場合でも、他の純正車載機器及び非純正車載機器の動作状態を表示し得る車載用アダプタ、及び、これを用いた車載システムを提供する。  【解決手段】  信号処理部１１は、信号入力端子１４１〜１４ｎに供給された車載機器信号Ｓ３を解読し、解読信号Ｓ２を生成する。出力端子１３は、端末装置３０に接続され、信号処理部１１が生成した解読信号Ｓ２が供給される。【選択図】      図１
2006093964.tif 000002
【特許請求の範囲】
【請求項１】
信号入力端子と、信号処理部と、出力端子とを含む車載用アダプタであって、
前記信号処理部は、前記信号入力端子に供給された信号を解読して、解読信号を生成し、
前記出力端子は、端末装置に接続される端子であって、前記信号処理部が生成した前記解読信号が供給される、
車載用アダプタ。
【請求項２】
請求項１に記載された車載用アダプタであって、前記信号入力端子は、ＬＡＮ信号入力端子を含む車載用アダプタ。
【請求項３】
請求項１又は２に記載された車載用アダプタであって、前記信号入力端子は、車載機器信号入力端子を含む車載用アダプタ。
【請求項４】
車載用アダプタと、ＬＡＮと、端末装置とを含む車載システムであって、
前記車載用アダプタは、請求項１又は２に記載されたものであり、
前記ＬＡＮは、前記信号入力端子に接続され、
前記端末装置は、前記出力端子に接続される、
車載システム。
【請求項５】
車載用アダプタと、車載機器と、端末装置とを含む車載システムであって、
前記車載用アダプタは、請求項１又は３に記載されたものであり、
前記車載機器は、前記信号入力端子に接続され、
前記端末装置は、前記出力端子に接続される、
車載システム。
【発明の詳細な説明】
【技術分野】
【０００１】
本発明は、車載用アダプタ、及び、これを用いた車載システムに関する。本発明に係る車載用アダプタは、車載機器の動作状態を解読するために用いられる。
【背景技術】
【０００２】
自動車の車載システムとして、純正車載機器の動作状態を、純正車載表示装置に表示する車載システムが知られている。また、車載オーディオ装置、車載エアコン装置、純正車載表示装置等の純正車載機器を、互いにＬＡＮ（Local Area Network）接続し、車載ＬＡＮシステムを構成する場合がある。なお、「純正」とは、通常、自動車メーカが自動車の出荷時に装備した装置を特定する意味で用いられる。
【０００３】
これらの車載ＬＡＮシステムでは、ＬＡＮ接続された各種の純正車載機器のうちの一つを、主純正車載機器として、自己又は他の純正車載機器の動作状態を表示するため利用する構成をとることがある。
【０００４】
ところで、車載システムにおいては、既設の主純正車載機器を、別の新たな非純正車載機器に取り換えたいという市場のニーズは、非常に高い。
【０００５】
ところが、非純正車載機器は、純正車載表示装置に対応し得る回路構成をもたないから、その動作状態を純正車載表示装置に表示することができない。
【０００６】
また、上述した車載ＬＡＮシステムにおいては、主純正車載機器が、非純正車載機器によって置き換えられた場合、車載ＬＡＮシステムを構成する全ての車載機器について、動作状態の表示ができなくなる。
【発明の開示】
【発明が解決しようとする課題】
【０００７】
本発明の課題は、主純正車載機器を、非純正車載機器によって置き換えた場合でも、他の純正車載機器及び非純正車載機器の動作状態を解読し得る車載用アダプタ、及び、これを用いた車載システムを提供することである。
【課題を解決するための手段】
【０００８】
上述した課題を解決するため、本発明に係る車載用アダプタは、信号入力端子と、信号処理部と、出力端子とを含む。信号処理部は、信号入力端子に供給された信号を解読して解読信号を生成する。出力端子は、端末装置に接続される端子であって、信号処理部が生成した解読信号が供給される。
【０００９】
本発明に係る車載用アダプタは、ＬＡＮと、端末装置と組合されて、車載システムを構成する。この車載システムにおいて、ＬＡＮは信号入力端子に接続される。端末装置は、出力端子に接続され、解読信号が供給され、解読信号に対応した動作を行なう。
【００１０】
ここで、上述した車載システムにおいて用いられる車載用アダプタは、信号入力端子と、出力端子とを含むから、信号入力端子にＬＡＮを接続し、出力端子に端末装置を接続することができる。
【００１１】
車載用アダプタの信号処理部は、信号入力端子にＬＡＮ信号が供給されたとき、ＬＡＮ信号を解読し、ＬＡＮに接続された車載機器の動作に対応する解読信号を生成することができる。出力端子は、信号処理部が生成した解読信号を出力する。端末装置は、出力端子に接続され、解読信号が供給され、解読信号に対応した動作を行なう。
従って、本発明に係る車載システムによれば、主純正車載機器を、非純正車載機器によって置き換えた場合でも、他の純正車載機器及び非純正車載機器の動作状態を解読し得る。
【００１２】
本発明に係る車載用アダプタは、別の態様として、ＬＡＮに接続されない車載機器と、端末装置と組合されて、車載システムを構成することもできる。この車載システムにおいて、車載機器は、信号入力端子に接続される。端末装置は、出力端子に接続され、解読信号が供給され、解読信号に対応した動作を行なう。
【００１３】
上述した車載システムにおいて用いられる車載用アダプタは、信号入力端子と、出力端子とを含むから、信号入力端子に車載機器を接続し、出力端子に端末装置を接続することができる。
【００１４】
車載用アダプタの信号処理部は、信号入力端子に、車載機器から出力された車載機器信号が供給されたとき、車載機器信号を解読し、車載機器の動作に対応する解読信号を生成することができる。出力端子は、信号処理部が生成した解読信号を出力する。端末装置は、出力端子に接続され、解読信号が供給され、解読信号に対応した動作を行なう。
【００１５】
従って、この車載システムにおいても、主純正車載機器を、非純正車載機器によって置き換えた場合、他の純正車載機器及び非純正車載機器の動作状態を解読し得る。勿論、本発明に係る車載用アダプタに、他の車載機器から出力される信号を受ける信号入力端子を設けることにより、純正、非純正に限らず、幅広く、その動作状態を解読することができる。
【００１６】
本発明の他の特徴及びそれによる作用効果は、添付図面を参照し、実施例によって更に詳しく説明する。
【発明を実施するための最良の形態】
【００１７】
図１は、本発明に係る車載システムの一実施例を示すブロック図である。図示の車載システムは、自己又は他の車載機器の動作状態を、純正車載表示装置に表示するために利用されている主純正車載機器が取外され、他の車載機器４１〜４ｎ、及び、本発明に係る車載用アダプタ１０が追加された構成を有する。
【００１８】
図示の車載システムは、車載機器４１〜４ｎと、端末装置３０と、車載用アダプタ１０とを含む。車載機器４１〜４ｎは、ＬＡＮに接続されていない機器である。車載機器４１〜４ｎは、一般には純正車載機器であるが、非純正車載機器であってもよい。
【００１９】
車載機器４１〜４ｎとしては、例えば、各種センサ、非純正オーディオ装置、非純正再生装置などがふくまれる。センサとしては、車内温度、車内湿度のほか、車速、エンジン回転数、オイル残量、走行距離、タイヤ空気圧、高度などを検出するために車に装備された全てが対象となる。図において、車載機器（非純正車載機器）４１は、例えば、非純正車載オーディオ装置である。
【００２０】
車載用アダプタ１０は、信号処理部１１と、信号入力端子１４１〜１４ｎ（ｎは個数）と、出力端子１３とを含む。図において、信号入力端子１４１〜１４ｎは、車載機器信号入力端子である。車載機器信号入力端子１４１〜１４ｎは、車載機器４１〜４ｎを接続するための端子である。
【００２１】
出力端子１３は、端末装置３０に接続される端子である。信号処理部１１は、電気回路等を用いて構成したものであっても、ソフトウエアで構成したものであってもよい。
【００２２】
端末装置３０は、純正車載機器であることが好ましい。端末装置３０は、解読信号Ｓ２に対応する文字、図形等を表示する機能の他、各種機能を兼ね備えている。以下の説明においては、表示機能を中心に説明する。表示は、静止画でもよいし、動画でもよい。端末装置３０としては、例えば、液晶ディスプレイ、発光ダイオードを用いた表示パネル等を挙げることができる。
【００２３】
上述したように、本発明に係る車載システムにおいて、車載用アダプタ１０は、信号入力端子１４１〜１４ｎと、出力端子１３とを含むから、信号入力端子１４１〜１４ｎに車載機器４１〜４ｎを接続し、出力端子１３に端末装置３０を接続することができる。
【００２４】
車載用アダプタ１０の信号処理部１１は、信号入力端子１４１〜１４ｎに、車載機器４１〜４ｎから出力された車載機器信号Ｓ３が供給されたとき、車載機器信号Ｓ３を解読し、車載機器４１〜４ｎの動作に対応する解読信号Ｓ２を生成できる。出力端子１３は、信号処理部１１が生成した解読信号Ｓ２を出力する。端末装置３０は、解読信号Ｓ２に対応する文字、図形等を表示する。
【００２５】
車載用アダプタ１０は、車載機器４１〜４ｎの信号を解読する機能を有するから、主純正車載機器を、非純正車載機器に取り換えた場合でも、当該取り換えた機器の動作状態を端末装置３０に表示し得る。
【００２６】
図２は、本発明に係る車載システムの別の一実施例を示すブロック図である。図において、図１に現れた構成部分と同一の部分については、同一の参照符号を付し、重複説明を省略する。
【００２７】
図示の車載システムは、車載機器４１〜４ｎと、車内のＬＡＮ７と、車載機器６１〜６５と、端末装置３０と、車載用アダプタ１０とを含む。
【００２８】
車載機器６１〜６５のそれぞれは、何れも、純正車載機器であって、ＬＡＮ７に接続され、ＬＡＮのアドレスが割り当てられている。図示の車載機器６１〜６５は、車載エアコン装置６１と、車載ＴＶチューナ６２と、車載ＥＣＵ（electrical control unit：電力制御装置、電子制御装置）６３と、車載ゲートウェイ（gateway）６４と、車載ＴＶモニタ６５とを含む。車載ゲートウェイ６４は、プロトコルの異なるシステムやネットワークを接続し、データを相互に交換できるようにする装置である。車載機器は、例えば、車載ＧＰＳ（Global Positioning System）ナビゲーション装置等を含んでいてもよい。
【００２９】
車載用アダプタ１０の信号入力端子は、車載機器信号入力端子１４１〜１４ｎと、ＬＡＮ信号入力端子１２とを含む。
【００３０】
上述した車載システムにおいて、車載機器６１〜６５のそれぞれは、ＬＡＮ７から供給されたＬＡＮ信号Ｓ１に基づいて動作し、動作結果、及び、自らのアドレスをＬＡＮ信号Ｓ１として送信する。
【００３１】
例えば、車載エアコン装置６１は、温度、湿度の制御結果をＬＡＮ信号Ｓ１として送信し、車載ＴＶチューナ６２は、ＴＶ放送電波の感度測定結果をＬＡＮ信号Ｓ１として送信し、車載ＴＶモニタ６５は、画面の明度、彩度、輝度制御結果をＬＡＮ信号Ｓ１として送信する。
【００３２】
車載機器４１〜４ｎは、自己の動作状況を表わす信号、各種検出信号である車載機器信号Ｓ３を送信する。例えば、非純正車載オーディオ装置でなる非純正車載機器４１は、その動作状況を車載機器信号Ｓ３として送信する。車載機器４１〜４ｎが再生装置である場合、再生装置は、ＤＶＤ等のメディアの再生状況を車載機器信号Ｓ３として送信する。車載機器４１〜４ｎが温度測定装置である場合、温度測定装置は、車内、車外の温度を測定し、測定結果を車載機器信号Ｓ３として送信する。
【００３３】
車載用アダプタ１０は、信号入力端子１２、１４１〜１４ｎを含む。これらの信号入力端子１２、１４１〜１４ｎにはＬＡＮ７、及び、車載機器４１〜４ｎが接続される。
【００３４】
車載用アダプタ１０の信号処理部１１は、信号入力端子１２、１４１〜１４ｎに、ＬＡＮ信号Ｓ１、及び、車載機器信号Ｓ３が供給されたとき、ＬＡＮ信号Ｓ１、及び、車載機器信号Ｓ３を解読し、車載機器６１〜６５、及び、車載機器４１〜４ｎの動作に対応する解読信号Ｓ２を生成する。出力端子１３は、信号処理部１１が生成した解読信号Ｓ２を出力する。
【００３５】
端末装置３０は、解読信号Ｓ２が供給され、解読信号Ｓ２に対応した表示、即ち、車載機器６１〜６５、及び、車載機器４１〜４ｎの動作に対応する表示をする。
【００３６】
上述したように、本発明に係る車載システムは、車載用アダプタ１０により、ＬＡＮ信号解読機能、及び、車載機器信号解読機能が得られるから、主純正車載機器を、非純正車載機器に取り換えた場合でも、ＬＡＮ７に接続された車載機器６１〜６５の動作状態を端末装置３０に表示し得る。
【００３７】
また、例えば、車メーカや車種等に依存してＬＡＮ信号及び車載機器信号の言語、プロトコル等が異なる場合、本発明の車載用アダプタ１０は、全ての車メーカや車種等に対応した汎用の構成としてもよいし、車メーカや車種等のそれぞれに対応した構成としてもよい。
【００３８】
端末装置３０は、ＬＡＮ７に接続され、ＬＡＮ信号Ｓ１に基づいて、例えば、電源のＯＮ／ＯＦＦ等が制御されるものであることが好ましい。また、端末装置３０は、解読信号Ｓ２に対応した表示とともに、車載ＴＶチューナ６２で受信したＴＶ番組の映像、非純正再生装置４２の再生映像等を表示してもよい。
【００３９】
更に、端末装置３０は、表示機能の他に、車速、エンジン回転数等のセンサを制御する装置の機能、ＧＰＳナビゲーション装置の機能等を兼備えていてもよい。この場合、端末装置３０は、解読信号Ｓ２に対応した各種機能を実現することとなるが、詳細な説明は省略する。
【００４０】
更に、端末装置３０は、車載機器６１〜６５、及び、車載機器４１〜４ｎの動作に対応する情報を１つのディスプレイ表示することが好ましい。車両の運転者が、一目で、車載機器６１〜６５、及び、車載機器４１〜４ｎの動作状況を把握できるからである。
【００４１】
図３は図２に示した車載用アダプタ１０を更に詳細に説明するブロック図である。図２において、車載用アダプタ１０の信号処理部１１は、電気回路等を用いて構成したものであっても、ソフトウエアで構成したものであってもよい。図示の信号処理部１１は、電気回路で構成された場合を示し、ＬＡＮ通信部１１１と、デコーダ１１２と、表示部コントローラ１１３と、入力コントローラ１１４とを含む。
【００４２】
ＬＡＮ通信部１１１は、ＬＡＮ信号Ｓ１をデコーダ１１２に供給する。入力コントローラ１１４は、車載機器信号Ｓ３をデコーダ１１２に供給する。デコーダ１１２は、ＬＡＮ信号Ｓ１及び車載機器信号Ｓ３を解読し、表示部コントローラ１１３に信号を供給する。表示部コントローラ１１３は、供給された信号を解読信号Ｓ２として出力する。
【００４３】
また、例えば、入力コントローラ１１４を用いて、車載機器４１〜４ｎのそれぞれに、ＬＡＮ７のアドレスを割り当てることができる。これにより、ＬＡＮ通信部１１１を介して、車載機器信号Ｓ３をＬＡＮ７に供給することができる。
【００４４】
更に、例えば、ＬＡＮ通信部１１１及び入力コントローラ１１４を介して、車載機器４１〜４ｎのそれぞれにＬＡＮ信号Ｓ１を供給してもよい。
【００４５】
以上、好ましい実施例を参照して本発明の内容を具体的に説明したが、本発明の基本的技術思想及び教示に基づいて、当業者であれば、種々の変形態様を採り得ることは自明である。
【図面の簡単な説明】
【００４６】
【図１】本発明に係る車載システムの一実施例を示すブロック図である。
【図２】本発明に係る車載システムの別の一実施例を示すブロック図である。
【図３】図２に示した車載用アダプタ１０を更に詳細に説明するブロック図である。
【符号の説明】
【００４７】
１０                      車載用アダプタ
１１                      信号処理部
１２、１４１〜１４ｎ      信号入力端子
１３                      出力端子
４１〜４ｎ、６１〜６５    車載機器
３０                      端末装置
【図１】
2006093964.tif 000003
【図２】
2006093964.tif 000004
【図３】
2006093964.tif 000005